(57)【要約】【課題】  清掃性及びケーシング内空間の使用効率を改善した便座装置を提供する。【解決手段】  内部に制御回路を収容する便座装置のケーシング３と、ケーシング３に軸支部を持つ便座４と、ケーシング３の上面及び便座上面の略全体を覆うカバー５とを備えた便座装置２において、ケーシング３の前方及びカバー５の前方部の両方に軸支部を持つカバー保持手段６を有する。カバー５のケーシング３側の軸支部３５がケーシング３の前方寄りに配置されるので、ケーシング３内の収納効率が良好となる。【選択図】    図３
2008006206.tif 000002
【特許請求の範囲】
【請求項１】
内部に制御回路を収容したケーシングと、
前記ケーシングに設けた軸支部に取り付けられた便座と、
前記便座の上面及びケーシングの上面の略全体を覆うカバーとを備えた便座装置において、
前記ケーシングの前方及び前記カバーの前方部にそれぞれ回動可能な軸支部を設けたカバー保持手段を備え、
前記カバー保持手段の回動により前記カバーが回動することを特徴とする便座装置。
【請求項２】
請求項１記載の便座装置において、
前記カバーと前記カバー保持手段の間に指はさみ防止手段を設けたことを特徴とする便座装置。
【請求項３】
請求項１又は２記載の便座装置において、
前記カバー保持手段のカバー側の軸支部を着脱自在に設けたことを特徴とする便座装置。
【請求項４】
請求項１〜３のいずれか１項に記載の便座装置において、
前記カバー保持手段として、前記ケーシングに軸支部を持ち閉状態では便座を覆う便蓋を用いることを特徴とする便座装置。
【請求項５】
請求項１〜４のいずれか１項に記載の便座装置において、
前記カバー保持手段及び便座が前記ケーシングに設けられた同一の軸支部を共有することを特徴とする便座装置。
【発明の詳細な説明】
【技術分野】
【０００１】
本発明は、便座装置に関するものである。
【背景技術】
【０００２】
便座装置において、消費者からは清掃性改善が望まれている。
それに対して、従来の便座装置は、図８に記載されるように、便蓋９１のピン９２をケーシング９３の後方に設けることで、便座９４及びケーシング９３上面を便蓋９１で覆う構造を成し、清掃性の改善を行っていた。（特許文献１）
【０００３】
【特許文献１】特開２００４−８５６７号公報
【発明の開示】
【発明が解決しようとする課題】
【０００４】
しかし特許文献１の技術は、ケーシング９３の上面まで便蓋９１で覆うことで、清掃性を向上させてはいるものの、便座９４と便蓋９１のヒンジをケーシング９３の前方後方に離れて設けた場合、ケーシング９３の内部に設けるヒンジユニットが２セット必要となってしまい、給水バルブ類が収容されるケーシング内後部の空間の使用効率が低下するという問題があった。
本発明は前記問題を解消するものであり、便座装置の清掃性の改善及びケーシング内空間の使用効率を改善することを目的とする。
【課題を解決するための手段】
【０００５】
前記課題を解決するために、本発明は、内部に制御回路を収容したケーシングと、前記ケーシングに設けた軸支部に取り付けられた便座と、前記便座の上面及びケーシングの上面の略全体を覆うカバーとを備えた便座装置において、前記ケーシングの前方及び前記カバーの前方部にそれぞれ回動可能な軸支部を設けたカバー保持手段を備え、前記カバー保持手段の回動により前記カバーが回動するので、清掃性及びケーシング内空間の使用効率を向上させた便座装置を作ることができる。
【０００６】
前記カバーと前記カバー保持手段の間に指はさみ防止手段を設ければ、前記カバーと前記カバー保持手段の間にできる隙間に指を挟む心配がなく、安全に便座装置を使用することができ、さらには、隙間から埃などが侵入することを防止することができるため、清掃性も向上する。
【０００７】
前記カバー保持手段のカバー側の軸支部を着脱自在に設けることにより、清掃性及びケーシング内空間の使用効率を向上させたことに加え、カバーを容易に取回して清掃することが可能な便座装置を作ることができる。
【０００８】
カバー保持手段として、前記ケーシングに軸支部を持ち閉状態では便座を覆う便蓋を用いるようにすれば、ケーシング上面及び便座上面の略全体を覆うカバーを取付けて清掃性を向上させた便座装置を作ることができる。
【０００９】
カバー保持手段及び便座が前記ケーシングに設けられた同一の軸支部を共有することで、清掃性及びケーシング内空間の使用効率を向上させたことに加え、ケーシング内空間の使用効率をより一層改善させた便座装置を作ることができる。
【発明の効果】
【００１０】
本発明によれば、次のような効果を奏する。
【００１１】
閉状態における便座装置上面は前方から後方にかけて面一のカバーからなるため、汚れが詰まる隙間がなく、清掃性に優れている。また、カバーの回動を保持する軸支部をケーシングの前方側に設置しているので、ケーシングの内部に便座装置の機能部（例えば、局部洗浄機能部や便器洗浄機能部）を効率的に収納することができる。
【００１２】
さらに、カバーとカバー保持手段の間に指はさみ防止手段を設けたため、埃などの侵入を防ぐことができる。
【００１３】
また、前記指はさみ防止手段により、前記カバーと前記カバー保持手段の間にできる隙間に指を挟む心配がなく、安全に便座装置を使用できる。
【００１４】
ケーシングに設けたカバー保持手段用軸支部をケーシング前方に設ける構造により、ケーシング内空間使用効率を確保できるとともに、便座上面とケーシング上面の略全体を覆うことが可能となる。
【００１５】
そして、カバーの軸支部が前方部に設けられており、後端が自由端となっていることから、カバー開状態におけるカバーの先端高さ位置がカバー後端に軸支部を持つ便座装置よりも低く抑えられるため、カバーでケーシングの上面を覆わないタイプの便座装置を使用していた環境であっても容易に設置可能である。
【発明を実施するための最良の形態】
【００１６】
以下、図面に基づいて、本発明の実施例を説明する。
【００１７】
なお、以下の説明において、前後方向及び左右方向とは便座に腰掛けた洋風便器使用者にとっての前後方向及び左右方向をいう。
【００１８】
図１〜３は本発明の第１実施例を示す図で、図１は便座装置を洋風便器に搭載した状態を示す斜視図、図２は便座装置の分解斜視図、図３は便座装置を側面から見た概略図である。
洋風便器１上面に取付けられた便座装置２は、内部にノズル、熱交換器、温風発生装置、脱臭装置などの制御回路（図示せず）を収容したケーシング３を具備する。このケーシング３は洋風便器１上面の後方に取付けられており、またケーシング３前方の洋風便器１上には便座４が備わっている。便座４はケーシング３の左右側面の前方側に軸支されており、開閉方向へ回動自在となるように構成されている。
【００１９】
さらに便座装置２には、ケーシング３の上面及び便座４の上面の略全体を覆うカバー５が具備されている。このカバー５とケーシング３は剛性の高い樹脂あるいは金属にて形成されたカバー保持手段６によって連結されている。
【００２０】
カバー５には、主板部５１と、主板部５１の側縁から主板部５１の面に対して垂直に垂れ下がった縁板部５２が設けられている。
主板部５１は、後方から前方にかけて滑らかに湾曲した面一の板面からなり、主板部５１の内側板面には、前方端近傍に軸支部５３と、前方端近傍左右両側に、対照的な位置となるようにクッション部材５４が設けられている。
縁板部５２は、主板部５１の左右の側縁とこれらを繋ぐ前縁とに沿ったＵ字型の、主板部に垂直な板面から構成されており、その両端は主板部５１の後端よりも若干手前まで延在している。
軸支部５３は、開閉動作時にカバー５の後端が自重により下がる位置である前方部に設けられている。
【００２１】
軸支部５３はカバー５とカバー保持手段６とを、カバー５の開閉方向へ回動自在かつ着脱自在に連結する。
【００２２】
カバー保持手段６は、Ｕ字型の支持枠６１と、支持枠６１のＵ字端部に設けられたケーシング側軸支部６２と、支持枠のＵ字湾曲部に設けられたカバー側軸支部６３と、Ｕ字から成る面に一体的に設けられた支持面６４を具備する。
カバー側軸支部６３は、前記Ｕ字型の支持枠６１の湾曲部頂点に備わっている。前記カバー側軸支部６３は、カバー保持手段６が閉状態である場合において前記支持枠６１の上面側に、突出して設けられており、これがカバーに設けられた軸支部５３と回動可能に連結する。
支持面６４は、開状態における支持枠６１の前方側縁に設けられており、支持枠６１の先端から両端部より若干手前まで、板面を形成している。
【００２３】
ケーシング側軸支部６２は、カバー保持手段６とケーシング３をカバー保持手段６の開閉方向に回動自在に連結する。
【００２４】
ケーシング３はケーシング上前面３１、ケーシング左右側面３２、ケーシング後面３３、ケーシング底面３４の５面より箱型に構成されており、箱内部に前述した制御回路が収容されている。
ケーシング上前面３１には制御状態を表示する制御状態表示部と、人体検出装置用の人体検出窓が設けられており、ケーシング左右側面３２には軸支部３５が設けられている。
【００２５】
ケーシング左右側面３２に設けられた軸支部３５は、ケーシング３と便座４を、便座４の開閉方向へ回動自在に連結している。
【００２６】
ケーシング３の上前面３１及び便座４の全上面は、カバー５によって、ケーシング上前面３１の後端を除く全面を覆い隠されている。
前記カバー５の縁板部５２は、便座４の側面と面一になるように、ケーシング左右側面３２の、軸支部３５を含む上部を覆い隠しており、側面３２の下部と面一になるように構成されている。
【００２７】
便座４を連結させた軸支部３５にはさらに、ケーシング左右側面３２と面一となるように、カバー保持手段６のケーシング側軸支部６２が連結されており、ケーシング３は１軸構成となっている。
【００２８】
次に各部の動作について述べる。
【００２９】
まず始めに便蓋閉状態について、図３を参照しながら説明を行う。
カバー５は、ケーシング３及び便座４の略全面を覆っている。
該カバー５は、ケーシング上前面３１と便座４の上面によって荷重を支えられており、便座４には、クッション部材５４を介して当接している。
カバー保持手段６に設けられた支持枠６１の先端は便座４の開口部に一部入り込んでおり、連結するカバー５の、閉状態における高さ位置を低くしている。
【００３０】
次に開動作について説明を行う。
カバー５の開動作は、カバー５又はカバー保持手段６を動作させることで、両者を連結する軸支部によって両者を一体的に動作することができる。カバー保持手段６が開方向へ回動すると、便座４及びケーシング上前面３１に当接していたカバー５は、便座４から離れ、その後端がケーシング上前面３１のみと当接する。カバー５の後端は自由端となっており、回動が始まるとケーシング上前面３１からケーシング後面３３へと回り込むように移動する。その際カバー５は、カバー５の縁板部５２とケーシング側面３２によりガイドされながら、開動作を行う。
また、カバー５の後端が下方へ移動することに伴い、連結するカバー５の軸支部５３と該保持手段６の軸支部６３が、軸支部に加わる負荷の力を逃がすように開動作を行い、カバー５と保持手段６の間に隙間が生まれる。
【００３１】
次にカバー５の開状態について、図３を参照しながら説明を行う。
カバー５はケーシング後面３３を覆うように、カバー保持手段６に保持されており、カバー５の縁板部５２がケーシング側面３２の後端一部を覆っている。さらに、カバー５の後端が自由端であり、該後端がケーシング後面３３を覆うように起立しているため、カバー５の起立時における先端高さが低く位置している。また、カバー５の前方にはカバー保持手段６に備えられた支持面６４が起立しており、支持枠６１及びカバー側軸支部６３を覆い隠している。
【００３２】
便座４の開動作はケーシング側面３２に設けられた軸支部３５を中心に動作し、便座４の回動範囲を制限する制御や機構によって、又はカバー５に当接することで停止する。
【００３３】
便座４、カバー５の両方が開状態にあるとき、便座４はカバー５の前方に起立しており、便座４の開口部にはカバー保持手段６が一部入り込むようにして覗いている。便座４の軸支部付近では、ケーシング上前面３１の前方一部が覗いており、該上前面３１の後方は便座４及びカバー保持手段６によって隠れている。
【００３４】
便座４、カバー５が同時に開閉動作を行った場合には、便座４の上面がカバー５のクッション部材５４と当接するため、便座上面とカバー５が直接擦れて傷つくことを防止する。
【００３５】
次に本発明における第２実施例を、図４〜図５を用いて説明する。
図４〜５は本発明の第２実施例を示す図で、図４は洋風便器及び便器に取付けられた便座装置の分解斜視図、図５は便座装置を側面から見た概略図である。
第２実施例は、第１実施例の構成中、カバー保持手段６として便蓋７を用いた構成となっており、第１実施例と同じ構成については同じ符号を付し、説明を省く。
【００３６】
まず始めに便蓋７の構造を図４を参照しながら説明する。
便蓋７には、主板部７１の側縁から主板部７１の面に対して便座４方向へ垂直に垂れ下がった縁板部７２が設けられている。主板部７１の上面側前端にはカバー５の軸支部５３と、カバー５の開閉方向へ回動自在かつ着脱可能に連結するカバー側軸支部７３が突出して設けられている。また、主板部７１の下面側先端付近には、左右対照な位置にクッション部材７４が設けられている。縁板部７２の端部には、ケーシング側面３２に設けられた軸支部３５と連結し、カバー５の開閉方向へ回動自在なケーシング側軸支部７５が設けられている。
【００３７】
次に各部動作の説明を行う。
【００３８】
動作説明においてはまず、カバー５閉状態について、図６を参照しながら説明する。
カバー５は、便蓋７の主板部７１全体と、ケーシング上前面３１の後端部を除く全体を覆っている。便蓋７は主板部７１上面に設けられた軸支部７３でカバー５と連結しており、下面に設けられたクッション部材７４を介して便座４と当接している。
【００３９】
カバー５の開動作は、カバー５又は便蓋７を動作させることで、両者を連結する軸支部によって両者を一体的に動作することができる。
開動作が始まると、自由端となっているカバー５の後端は、ケーシング上前面３１からケーシング後面３３へと回り込むように移動する。その際カバー５は、その縁板部５２とケーシング側面３２によりガイドされながら、開動作を行う。
また、カバー５の後端が下方へ移動することに伴い、連結するカバー５の軸支部５３と便座７の軸支部７３が、軸支部に加わる負荷の力を逃がすように開動作を行い、カバー５と便座７の間に隙間が生まれる。
【００４０】
カバー５の開状態について、図４を参照しながら説明する。
カバー５はケーシング後面３３を覆うように、便蓋７に保持されており、カバー５の縁板部５２がケーシング側面３２の後端一部を覆っている。
さらに、カバー５の後端が自由端であり、該後端がケーシング後面３３を覆うように起立しているため、カバー５の起立時における先端高さが低く位置している。カバー５の前方には便蓋７に備えられた主板部７１が起立しており、主板部７１の前方には主板部７１の面と垂直な面からなる縁板部７２が垂出している。
【００４１】
便座４の開動作はケーシング側面３２に設けられた軸支部３５を中心に動作し、便座４の回動範囲を制限する制御や機構によって、又は便蓋７に備わるクッション部材７４に当接することで停止する。
【００４２】
次に便座４、カバー５の両方が開状態のとき、カバー５の前方には、便蓋７、その前方には便座４が起立している。便座４の軸支部付近では、ケーシング上前面３１の前方一部が覗いており、該上前面３１の後方は便座４及び便蓋７によって隠れている。
【００４３】
便座４、カバー５が同時に開閉動作を行った場合には、便座４の上面が便蓋７のクッション部材７４と当接するため、便座上面と便蓋７が直接擦れて傷つくことを防止する。
【００４４】
次に本発明に関する第３実施例について、図６、図７を用いて説明する。
図６は、カバー開状態における指はさみ防止手段の様子を示したものである。図９は、カバー閉状態における指はさみ防止手段の様子を示したものである。
第３実施例においては、指はさみ防止手段を加えた部分以外、前述した実施例の発明と同様の構成となっているため、重複する説明は省略する。
【００４５】
開状態においては図６に示すように、指はさみ防止手段８はカバー５と便座保持手段６の間にできる隙間を塞ぎ、閉状態においては図７に示すように、カバー５に覆われるようスライドしながら収納される。
【００４６】
以上、本発明の実施例について説明をしたが、上記の実施の形態は本発明の一例であり、本発明は上記の実施の形態に限定されない。
【００４７】
本発明は手動による開閉を行う便座装置及び、電動開閉機構を有する便座装置のいずれの便座装置であっても組込むことが可能である。
【００４８】
また、本発明においてはカバー保持手段はＵ字型の支持枠を持つタイプであったが、これに限定されることはなく、ケーシングと回動自在に軸支され、カバーと回動自在に軸支される１対のアームのような機構を備えておれば本発明を実施することができる。また、１対のアームと一体的に板面を設けることで開状態における見栄えを良くすることができるので、より好ましい。
【００４９】
また、本発明におけるカバーと、カバー保持手段又は便蓋とを軸支する着脱回動自在な機構は、カバーの前方部に位置すればカバーの主板部に設けても、縁板部に設けても、本発明を実施することができる。
【００５０】
カバーとケーシング、カバーと便蓋や、その他当接する部分には必要に応じてクッション部材を設けることが好ましい。
【００５１】
指はさみ防止手段は、開状態において隙間を塞ぎ、閉状態において収納される伸縮性を持つ構成であればよいため、アコーディオン式等、伸縮可能な他の構成であってもよい。
【図面の簡単な説明】
【００５２】
【図１】本発明の便座装置を洋風便器に搭載した状態を示す斜視図
【図２】第１実施例に係る便座装置の分解斜視図
【図３】第1実施例に係る便座装置を側面から見た概略図
【図４】第2実施例に係る分解斜視図
【図５】第2実施例に係る便座装置を側面から見た概略図
【図６】第３実施例に係る便座装置のカバーの斜視図
【図７】第３実施例に係る便座装置のカバーの斜視図
【図８】従来技術を示す図
【符号の説明】
【００５３】
１  洋風便器
２  便座装置
３  ケーシング
（３１  ケーシング上前面）
（３２  ケーシング左右側面）
（３３  ケーシング後面）
（３４  ケーシング底面）
（３５  軸支部）
４  便座
５  カバー
（５１  主板部）
（５２  縁板部）
（５３  軸支部）
（５４  クッション部材）
６  カバー保持手段
（６１  支持枠）
（６２  ケーシング側軸支部）
（６３  カバー側軸支部）
（６４  支持面）
７  便蓋
（７１  主板部）
（７２  縁板部）
（７３  カバー側軸支部）
（７４  クッション部材）
（７５  ケーシング側軸支部）
８  指はさみ防止手段
【図８】
2008006206.tif 000003
【図１】
2008006206.tif 000004
【図２】
2008006206.tif 000005
【図３】
2008006206.tif 000006
【図４】
2008006206.tif 000007
【図５】
2008006206.tif 000008
【図６】
2008006206.tif 000009
【図７】
2008006206.tif 000010